(57)【要約】  本発明は、モニタに関する。モニタの取り付けを容易にするための天井吊り下げモニタシステム用の吊り下げ可能モニタ１０が提供される。吊り下げ可能モニタは、ビデオディスプレイ１２、構造フレーム１４、及びシステムインターフェース１６を含む。ビデオディスプレイは、構造フレームの前面１８に取り付けられる。システムインターフェースは、吊り下げ可能モニタを吊り下げるために、一端で構造フレームに取り付けられ、他端で天井吊り下げモニタシステムに取り付け可能である。
2019504405.tif 000002
【特許請求の範囲】
【請求項１】
天井吊り下げモニタシステム用の吊り下げ可能モニタであって、
ビデオディスプレイと、
構造フレームと、
システムインターフェースと、を含み、
前記ビデオディスプレイは、前記構造フレームの前面に取り付けられ、
前記システムインターフェースは、前記吊り下げ可能モニタを吊り下げるために、一端で前記構造フレームに取り付けられ、他端で前記天井吊り下げモニタシステムに取り付け可能である、吊り下げ可能モニタ。
【請求項２】
前記吊り下げ可能モニタは、
グリップバーをさらに含み、
前記グリップバーは、前記構造フレームの前記前面の２つの対向する縁部上で前記構造フレーム及び前記ビデオディスプレイを結合する複数の接続部を含む、請求項１に記載の吊り下げ可能モニタ。
【請求項３】
前記システムインターフェースは、前記構造フレームの上部に結合される、請求項１又は２に記載の吊り下げ可能モニタ。
【請求項４】
ユーティリティボックスが、前記構造フレームの上部に取り付けられるように設けられ、
前記システムインターフェースは、前記ユーティリティボックスに結合される、請求項１乃至３の何れか一項に記載の吊り下げ可能モニタ。
【請求項５】
前記ビデオディスプレイは、
保護ガラスプレートと、
ディスプレイパネルと、
ディスプレイ電子装置アセンブリと、を含み、
前記保護ガラスプレート及び前記ディスプレイ電子装置アセンブリは、前記ディスプレイパネルの両側に取り付けられ、
前記ディスプレイパネルは、前記ディスプレイ電子装置アセンブリに結合され、前記ディスプレイ電子装置アセンブリからビデオ情報及び電力を受信する、請求項１乃至４の何れか一項に記載の吊り下げ可能モニタ。
【請求項６】
換気デバイスが、前記構造フレームに取り付けられている、請求項５に記載の吊り下げ可能モニタ。
【請求項７】
前記構造フレームは、
外部デバイスを制御する制御ユニット及び／又は
電源ユニット
を含むフレーム電子装置アセンブリを含む、請求項１乃至６の何れか一項に記載の吊り下げ可能モニタ。
【請求項８】
前記構造フレームはさらに、前記前面の反対側の背面上に外部インターフェースを含み、前記外部インターフェースは、外部デバイスを前記吊り下げ可能モニタに取り付けるためのさらなるシステムインターフェースに接続される、請求項１乃至７の何れか一項に記載の吊り下げ可能モニタ。
【請求項９】
前記吊り下げ可能モニタは、Ｘ線撮像システムで使用され、
Ｘ線が作用しているかどうかを示すために、前記吊り下げ可能モニタ上にＸ線インジケータが設けられる、請求項１乃至８の何れか一項に記載の吊り下げ可能モニタ。
【請求項１０】
前記吊り下げ可能モニタは、背部カバーをさらに含み、
前記背部カバーは、前記構造フレームの前記前面の反対側の前記背面に取り付けられる、請求項１乃至９の何れか一項に記載の吊り下げ可能モニタ。
【請求項１１】
前記背部カバーを取り外した後、実用可能な部品にアクセスすることができる、請求項１０に記載の吊り下げ可能モニタ。
【請求項１２】
前記背部カバー上に冷却スロットが設けられる、請求項１０又は１１に記載の吊り下げ可能モニタ。
【請求項１３】
医療撮像のための天井吊り下げモニタシステムであって、
キャリッジと、
請求項１乃至１２の何れか一項に記載の吊り下げ可能モニタと、を含み、
前記キャリッジは、部屋の天井構造に移動可能に取り付け可能であり、
前記吊り下げ可能モニタを前記キャリッジに吊り下げ可能に取り付けるために、前記システムインターフェースが、一端で前記吊り下げ可能モニタの構造フレームに取り付けられ、他端で前記キャリッジに取り付け可能である、天井吊り下げモニタシステム。
【発明の詳細な説明】
【技術分野】
【０００１】
本発明は、モニタの分野に関し、特には、吊り下げ可能モニタ及び天井吊り下げモニタシステムに関する。
【背景技術】
【０００２】
介入式Ｘ線室などの臨床環境のような、いくつかの用途又は環境では、例えば、最適な視野角のために、モニタを天井に取り付ける必要があり得る。この目的のために、例えば、ＶＥＳＡ（Video Electronics Standards Association）のインターフェースを介してモニタを取り付けるためのモニタ天井吊り下げフレームが開発されてきた。例えば、米国特許第７,０７７,３７３Ｂ１号は、モニタを取り付けるためのボックス状のフレームを記載している。しかしながら、モニタ天井吊り下げフレームへのモニタの取り付けは、複雑になり得る。
【発明の概要】
【発明が解決しようとする課題】
【０００３】
モニタの取り付けを容易にする必要があるであろう。
【０００４】
本発明の目的は、独立請求項の主題によって解決され、さらなる実施形態は、従属請求項に組み込まれる。下記に記載される本発明の態様は、吊り下げ可能モニタ及び天井吊り下げモニタシステムにも適用されることに留意されたい。
【課題を解決するための手段】
【０００５】
本発明の第１の態様によると、天井吊り下げモニタシステム用の吊り下げ可能モニタが提供される。吊り下げ可能モニタは、ビデオディスプレイ、構造フレーム、及びシステムインターフェースを含む。ビデオディスプレイは、構造フレームの前面に取り付けられている。システムインターフェースは、吊り下げ可能モニタを吊り下げるために、一端で構造フレームに取り付けられ、他端で天井吊り下げモニタシステムに取り付け可能である。
【０００６】
このようにして、モニタと天井吊り下げフレームとの一体化が、削減された数の部品で達成される。これにより、より低いコスト、より簡単な取り付け、及び、より簡単な運搬が可能になる。加えて、簡易熱管理を提供する部品の排除によって、空気の流れの妨害をなくす、又は少なくすることができる。さらに、余分な部品の排除によって、低重量が達成され得る。これにより、天井吊り下げモニタシステムのスプリングアーム構成が可能になり得る。このことはまた、例えば、設置面積を小さくするといった、顧客の利点を提供することができる。
【０００７】
一例によれば、吊り下げ可能モニタは、グリップバーをさらに含む。グリップバーは、構造フレームの前面の２つの対向する縁部上で構造フレーム及びビデオディスプレイを結合するように適合される複数の接続部を含む。
【０００８】
グリップバーの使用により、一体化モニタを配置することができ、グリップバーはまた、ビデオディスプレイを保護することもできる。
【０００９】
一例によれば、システムインターフェースは、構造フレームの上部に結合される。
【００１０】
「上部」という用語は、構造フレームの上縁又は上面、すなわち、上方を向いている、すなわち、部屋の天井に対する縁部に関する。
【００１１】
このようにして、一体化モニタの上部に新規なインターフェースが設けられる。ＶＥＳＡインターフェースは、取り除くことができる。
【００１２】
一例によれば、ユーティリティボックスは、構造フレームの上部に取り付けられるように設けられる。システムインターフェースは、ユーティリティボックスに結合される。
【００１３】
一例によれば、ビデオディスプレイは、保護ガラスプレートと、ディスプレイパネルと、ディスプレイ電子装置アセンブリとを含む。保護ガラスプレート及びディスプレイ電子装置アセンブリは、ディスプレイパネルの対向する側に取り付けられる。ディスプレイパネルは、ディスプレイ電子装置アセンブリに結合され、ディスプレイ電子装置アセンブリからビデオ情報及び電力を受け取るように構成される。
【００１４】
ディスプレイ電子装置アセンブリは、例えば、ＰＣＢ、電力ユニット、及びデジタルコンバータなどを含んでもよい。
【００１５】
一例によれば、換気デバイスが構造フレームに取り付けられるように設けられる。
【００１６】
換気デバイスは、熱管理のために新鮮な空気がモニタに入り、その中を移動することを可能にする。
【００１７】
一例によれば、構造フレームは、外部デバイスを制御する制御ユニット及び／又は電源ユニットを含むフレーム電子装置アセンブリを含む。
【００１８】
一例によれば、構造フレームは、前面の反対側にある背面上に外部インターフェースをさらに含む。外部インターフェースは、外部デバイスをモニタに取り付けるための別のシステムインターフェースに接続されるように適合される。
【００１９】
一例によれば、吊り下げ可能モニタは、Ｘ線撮像システムで使用される。Ｘ線が作用しているかどうかを示すために、吊り下げ可能モニタ上にＸ線インジケータが設けられる。
【００２０】
一例によれば、吊り下げ可能モニタは、背部カバーをさらに含む。背部カバーは、構造フレームの前面の反対側の背面に取り付けられる。
【００２１】
背部カバーは、背部全面を覆う一片であってもよく、例えば、ケーブルを覆っている。
【００２２】
一例によれば、背部カバーを取り外した後に、実用可能な部品にアクセスすることができる。
【００２３】
ユーザーは、実用可能な部品を交換又はチェックするために背部カバーを取り外してもよい。
【００２４】
一例によれば、背部カバー上に冷却スロットが設けられる。
【００２５】
本発明の第２の態様によれば、医用撮像のために天井吊り下げモニタシステムが提供される。天井吊り下げモニタシステムは、キャリッジと上記及び下記の例のうちの１つによる吊り下げ可能モニタとを含む。キャリッジは、部屋の天井構造に移動可能に取り付け可能である。システムインターフェースは、モニタをキャリッジに吊り下げ可能に取り付けるために、一端で吊り下げ可能モニタの構造フレームに取り付けられ、他端でキャリッジに取り付け可能である。
【００２６】
本発明の一態様によれば、モニタ天井吊り下げフレームなしで取り付けられる吊り下げ可能モニタが提供される。吊り下げ可能モニタは、構造フレームに取り付けられるビデオディスプレイを含み、前記構造フレームは、電源ユニット、並びに、例えば、アクチュエータ及びブームのブレイクなどを制御する制御ユニットのような電子部品といった他の構成要素を担持するように適用される。システムインターフェースは、構造フレームの一端に取り付けられる。システムインターフェースの他端は、例えば天井構造に取り付け可能である。このような一体化吊り下げ可能モニタは、取り付けプロセスを容易にすることができる。
【００２７】
本発明のこれらの態様及び他の態様は、後述される実施形態を参照することによって明らかとなり、説明されるであろう。
【図面の簡単な説明】
【００２８】
本発明の例示的な実施形態が、以下の図面を参照して下記に説明される。
【図１】図１は、吊り下げ可能モニタの一例を示す。
【図２】図２は、ビデオディスプレイの一例を示す。
【図３】図３は、構造フレームの一例を示す。
【図４】図４は、グリップバーの一例を示す。
【図５】図５は、吊り下げ可能モニタのさらなる例を示す。
【図６】図６は、吊り下げ可能モニタの別の例を示す。
【図７】図７は、天井吊り下げモニタシステムの一例を示す。
【００２９】
これらの図は概略的にのみ示されており、正確な縮尺ではない。同じ参照符号は、図面全体にわたって同じ又は類似した特徴を指す。
【発明を実施するための形態】
【００３０】
図１は、吊り下げ可能モニタ１０の例を示す。吊り下げ可能モニタ１０は、ビデオディスプレイ１２と、構造フレーム１４と、システムインターフェース１６とを含む。ビデオディスプレイ１２は、構造フレーム１４の前面１８に取り付けられている。システムインターフェース１６は、吊り下げ可能モニタ１０を吊り下げるために、一端で構造フレーム１４に取り付けられ、他端で天井吊り下げモニタシステム（図１には図示されていない）に取り付け可能である。
【００３１】
システムインターフェース１６は、構造フレーム１４の上部に結合される。つまり、一体化モニタの上部に新規なインターフェースが設けられる。ＶＥＳＡインターフェースは、必要とされないであろう。
【００３２】
図１に示すように、吊り下げ可能モニタ１０は、任意に、グリップバー２０をさらに含む。グリップバー２０は、構造フレーム１４の前面１８の２つの対向する縁部上で構造フレーム１４及びビデオディスプレイ１２を結合するように適合される複数の接続部２２（図４参照）を含む。
【００３３】
このようにして、一体化モニタ及び天井吊り下げフレームは、削減された数の部品で実現される。吊り下げ可能モニタを天井に取り付けるために、モニタ天井吊り下げフレームは、不要になる。
【００３４】
図２は、ビデオディスプレイ１２の一例を示す。
【００３５】
ビデオディスプレイ１２は、保護ガラスプレート２４と、ディスプレイパネル２６と、ディスプレイ電子装置アセンブリ２８とを含むことができる。保護ガラスプレート２４及びディスプレイ電子装置アセンブリ２８は、任意の適切な方法でディスプレイパネル２６の両側に取り付けられる。図２のオプションとして示される例では、保護ガラスプレート２４上に接着されるようにＬ型プロファイル３０が設けられている。ディスプレイパネル２６は、Ｌ型プロファイル３０に取り付けられている。
【００３６】
ディスプレイ電子装置アセンブリ２８は、プリント回路基板（ＰＣＢ）、電源ユニット、デジタルコンバータなどの電子部品に関連し得、これらは、電源及びビデオ情報を提供するためにディスプレイパネル２６に取り付けられる。
【００３７】
画像の選択及び処理を可能にするコマンドを含み得る制御信号を受信するために、例えば表示パネル２６又は構造フレーム１４上に取り付けられる赤外線（ＩＲ）センサ（図示されていない）が設けられる。
【００３８】
図３は、全ての構成要素を担持するために設けられる構造フレーム１４の一例を示す。
【００３９】
構造フレーム１４は、電源ユニット３４及び／又は外部デバイスの制御のための制御ユニット３６を含むフレーム電子装置アセンブリ３２を含む。
【００４０】
外部デバイスの例は、例えば、アクチュエータ、ブームのブレイクなどを含む。例えば、制御ユニット３６は、アクチュエータを用いて、天井吊り下げモニタシステムに取り付けられた際に、吊り下げ可能モニタ１０の位置及び／又は方向を最適な視野角のために制御及び調整するために使用され得る。
【００４１】
構造フレーム１４は、前面１８とは反対側の背面４０上に外部インターフェース３８をオプションとして含む。外部インターフェース３８は、外部デバイスをモニタに取り付けるための別のシステムインターフェース（図示されていない）に接続されるように適用される。
【００４２】
さらに別のオプションとして、構造フレーム１４に取り付けられるように換気デバイス４２が設けられる。換気デバイス４２は、熱管理のために空気流を加速するファンであってもよい。
【００４３】
構造フレーム１４はまた、グリップバー２０に結合されるグリップ固定部を有する。
【００４４】
図４は、グリップバー２０の一例を示す。グリップバー２０は、接続部２２を介して構造フレーム１４に結合されるよう適合される２つのアーム４４、４６を有するＵ字型である。例えば、図４のグリップバー２０は、４つの接続部２２を含む。各アーム４４、４６は、２つの接続部２２と共に設けられる。
【００４５】
さらなる例（図示されていない）では、２つのグリップバー、例えば、左グリップバー及び右グリップバーが設けられる。各グリップバーは、構造フレーム及びビデオディスプレイに結合されるための２つ以上の接続部を有する。
【００４６】
オプションとして、吊り下げ可能モニタ１０がＸ線撮像システムで使用されるとき、Ｘ線が作用しているかどうかを示すために、吊り下げ可能モニタ上にＸ線インジケータが設けられる。
【００４７】
図４にオプションとして示される一例では、Ｘ線インジケータ４８がグリップバー２０上に設けられている。さらなる例（さらには図示されていない）では、Ｘ線インジケータ４８がシステムインターフェース１６上に設けられる。
【００４８】
グリップバー２０は、一体化吊り下げ可能モニタ１０を配置し、保護ガラスプレート２４及びディスプレイパネル２６を保護するために使用される。
【００４９】
図５は、背部カバー５０を含む吊り下げ可能モニタ１０の一例を示す。背部カバー５０は、背面４０に取り付けられる。
【００５０】
背部カバー５０は、背部全面を覆う一片であってもよく、例えば,ケーブル及びＰＣＢを覆っている。
【００５１】
さらに別のオプションとして、実用可能部品（図示されていない）は、背部カバー５０を取り外した後にアクセスすることができる。これは、実用可能部品の交換又は点検を容易にする。
【００５２】
同じく図５にオプションとして示されているように、背部カバー５０上に熱管理のために冷却スロット５２が設けられている。必要であれば、複数の冷却スロットが設けられてもよい。
【００５３】
図６は、複数の部品からなる背部カバー５０を有する吊り下げ可能モニタ１０のさらなる例を示す。任意のサードパーティー機器を吊り下げ可能モニタに取り付けることを可能にするサードパーティーインターフェース５４が設けられる。サードパーティーインターフェースは、例えば、ＶＥＳＡ標準インターフェースである。
【００５４】
さらに、構造フレーム１４（さらには図示されていない）の上部に取り付けられるユーティリティボックス５５が設けられる。システムインターフェース１６は、ユーティリティボックス５５に結合される。システムインターフェース１６は、例えばビデオ信号の送信及び／又は電源を提供するためのユーティリティボックス５５を接続するためにケーブルを担持するように適用される。
【００５５】
図７は、医用撮像のための天井吊り下げモニタシステム１００を示す。本技術の説明を容易にするために、本明細書では全般的にＣアームスキャナの形態のＸ線撮像システムが論じられるが、非Ｘ線の実施形態もまた、本技術の範囲内にあることを理解されたい。
【００５６】
システムは、キャリッジ５６と、上述の例のうちの１つによる吊り下げ可能モニタ１０とを含む。キャリッジ５６は、例えば、レール装置６０を介して天井構造５８に移動可能に取り付け可能である。システムインターフェース１６は、吊り下げ可能モニタ１０をキャリッジ５６に吊り下げ可能に取り付けるために、一端で構造フレーム１４（さらには図示されていない）に取り付けられ、他端でキャリッジ５６に取り付け可能である。
【００５７】
このようにして、吊り下げ可能モニタは、別個のモニタ天井吊り下げフレームを必要とせずに、直接天井構造５８に取り付けることができ、これにより取り付けプロセスが容易になる。
【００５８】
吊り下げ可能モニタ１０はまた、当該吊り下げ可能モニタを垂直方向に移動させるための高さ調節を備える。さらなるオプションとして、吊り下げ可能モニタ１０は、回転調節可能に構成されてもよい。高さ調節及び回転調節は、構造フレーム１４上に取り付けられる制御ユニット３６（図３参照）によって制御され得る。
【００５９】
これにより、最適な視野角のための、柔軟な、自由移動及び回転しての配置が可能になる。
【００６０】
また、図７には、Ｃアーム６４とＬアーム６６を有する回転式Ｃアームスキャナ６２が示される。Ｌアーム６６は、レール装置６０を介して天井構造５８に取り付けられている。
【００６１】
Ｘ線源６８及びＸ線検出器７０がＣアーム６４に取り付けられる。Ｃアーム６４は、患者支持体７４上の被検体７２を撮像するためにＣアーム６４の軸の周りで「ロール運動」を実行することができる。
【００６２】
Ｘ線検出器７０又は他のソースにより取得された画像は、吊り下げ可能モニタ１０に表示される。
【００６３】
本発明の実施形態は、様々な主題を参照して説明されることに留意されたい。具体的には、いくつかの実施形態は、モニタの請求項を参照して説明される一方で、他の実施形態は、システムの請求項を参照して説明される。しかしながら、当業者は上記及び下記の説明から、別段に知らされない限り、１つの主題に属する特徴の任意の組合せに加え、別の主題に関する特徴間の任意の組合せもまた、本出願で開示されるものと考慮されることを推測するであろう。しかしながら、全ての特徴は、単なる特徴の加算にとどまらない相乗効果を提供しながら組み合わされることができる。
【００６４】
本発明は、図面及び前述の説明において詳細に例示され説明されたが、こうした例示及び説明は、例示的又は典型的であると考えられるべきであり、限定と考えられるべきではない。本発明は、開示された実施形態に限定されない。当業者によって、特許請求された発明を実施するにあたり、図面、明細書、及び従属請求項の研究から、開示された実施形態の他のバリエーションが理解され達成されることができる。
【００６５】
請求項の、「comprising含む」の文言は、他の要素やステップを除外するものではなく、不定冠詞「ａ」又は「ａｎ」は、複数を除外しない。単一のプロセッサ又は他のユニットは、請求項に記載される複数項目の機能を満たすことができる。特定の手段が、相互に異なる従属請求項に記載されているという単なる事実は、これらの手段の組み合わせを有利に使用できないことを意味するわけではない。請求項のいかなる参照符号も範囲を限定するものとして解釈されるべきではない。
【図１】
2019504405.tif 000003
【図２】
2019504405.tif 000004
【図３】
2019504405.tif 000005
【図４】
2019504405.tif 000006
【図５】
2019504405.tif 000007
【図６】
2019504405.tif 000008
【図７】
2019504405.tif 000009
【国際調査報告】
2019504405.tif 000010
2019504405.tif 000011